【事件の表示】
　平成１１年特許願第２７９８７２号「温水便座」拒絶査定不服審判事件〔平成１３年４月１０日出願公開、特開２００１−９８６１５〕について、次のとおり審決する。
【結　論】
　本件審判の請求は、成り立たない。
【理　由】
１．手続の経緯
　本願は、平成１１年９月３０日に出願された特願平１１−２７９８７２号の特許出願であって、平成１１年１１月２９日付けで図面全図を補正する手続補正書が提出された後、原審における平成１６年３月２２日付けの拒絶理由通知に対し、平成１６年５月１２日付けの意見書とともに明細書及び図３を補正する同日付けの手続補正書が提出され、さらに原審における平成１６年９月１３日付けの最後の拒絶理由通知に対し、平成１６年１０月２６日付けの意見書のみが提出され、前記最後の拒絶理由により平成１７年３月１４日付けで拒絶査定がなされたところ、前記拒絶査定を不服とする審判の請求が平成１７年４月５日になされたものである。
　
２．本願発明
　本願発明は、平成１６年５月１２日付けの手続補正により補正された特許請求の範囲の請求項１及び請求項２に記載された事項により特定されるとおりのものであるところ、特にその請求項１に係る発明（以下、これを「
本願発明１
　「【請求項１】　ヒータを内蔵したタンクと、前記タンクへの給水
路
　
　なお、平成１６年５月１２日付けの手続補正により補正された特許請求の範囲の請求項１には「前記タンクへの給水と、」と記載されているが、前記「前記タンクへの給水と、」の記載について検討すると、出願当初の明細書の特許請求の範囲の請求項１における当該記載個所に「前記タンクへの給水路と、」が記載されている事実、補正後の前記「前記タンクへの給水と、」の当該記載個所以降の請求項１に「前記給水路」が記載されている事実及び平成１６年５月１２日付けの手続補正により補正された特許請求の範囲の請求項１に、補正個所に施すべき下線が前記「前記タンクへの給水と、」の記載個所になされていない事実からみて、前記「前記タンクへの給水と、」の記載は、「前記タンクへの給水
路
　
３．引用刊行物における記載事項
（１）原審における拒絶査定の理由に引用された刊行物であって、本願の特許出願前に頒布された実願平２−６６５８８号（実開平４−２６２８８号）のマイクロフイルム（以下、「
引用刊行物１
　「入水側系路を出水側系路に接続して給水を行なうものであつて、複数設けられた出水側系路のうちから接続すべき出水側系路を、所定の水路切換動作により選択するように構成されてなる切換弁装置において、
　　前記入水側系路を開放・閉塞するように設けられた主切換弁と、
　　前記出水側系路のそれぞれを開放・閉塞するように各出水側系路ごとに設けられた複数の分岐切換弁と、
　　上記主切換弁の開閉動作に基づいて、各分岐切換弁どうしを所定の開閉関係に切り換えるカム部と、
を一体に備えてなることを特徴とする切換弁装置。」（明細書１頁５〜１８行）
　「（従来の技術）
　　複数の水路を適宜切り換えるための切換弁装置が、各種装置に採用されている。例えばトイレ用のウオッシャー装置には、第５図に示されているような切換弁装置が設けられている。
　　このウオッシャー装置において使用者が動作スイッチを操作すると、まずメイン電磁弁１がオンされて開かれると同時に、シャワー電磁弁２あるいはチャーム電磁弁３がオンされて開かれ、水道からの水が、上記メイン電磁弁１およびモータ駆動による水量弁４を通って温水タンク５内に導かれて−旦蓄えられる。この温水タンク５内の温水は、水道水の水圧によって押し出され、前記シャワー電磁弁２あるいはチャーム電磁弁３を通ってシャワーノズル６あるいはチャームノズル７のいずれかに至る。シャワーノズル６あるいはチャームノズル７に水圧が負荷されると、その水圧によって当該シャワーノズル６あるいはチャームノズル７は所定量にわたって前進動作を行なった後、決められた位置にて先端部から温水の噴出が行なわれる。」（明細書２頁４行〜３頁４行）
　「（考案が解決しようとする課題）
　　このように従来の切換弁装置においては、水路選択の制御に多数の電磁弁および水量弁が使用されており、各々の弁部および制御部がそれぞれ別個の切換制御動作を行なっている。そのため出力のためのポート数が多くなるなど、弁機構および制御装置の複雑化を招来している。
　　これを解消するため、単独のモータにより水路の切換を行ない、簡易な構成を得ようとしたものも従来から提案されてはいるが、水漏れ等、品質上の問題がある。
　　そこで本考案は、各種水路切換機構を一体に備え、簡易な制御動作でしかも確実に水路の切換を行なうことができるようにした切換弁装置を提供することを目的とする。」（明細書３頁１４行〜４頁８行）
　「図に示されているように、縦長状の本体胴１１のほぼ中央部分には、入水側系路を構成する入水通路１２が、横方向（第１図，第２図左右方向）に向かって直線状に貫通形成されている。この入水通路１２の一端側開口部（第１図，第２図右側開口部）には、メイン電磁弁（第５図符号１参照）からの入水側系路が接続されているとともに、入水通路１２の他端側開ロ部（第１図，第２図左側開ロ部）は、温水タンク（第図符号５参照）に給水を行なう入水側系路に接続されている。
　　また温水タンクからの入水側系路は、上記本体胴１１の底部に設けられた入水口１３に接続されている。この入水ロ１３は、本体胴１１の下部に設けられた入水側チャンバー１４に開ロされているとともに、この入水側チャンバー１４の直上部部に、仕切板１５を介して出水側チャンバー１６が設けられている。さらにこの出水側チャンバー１６は、３つの第１，第２および第３の各出水□１７，１８，１９を介して３系統の出水側系路に接続されている。
　　出水ロ１７が接続される出水側系路はシャワーノズル（第５図符号６参照）に至るものであり、出水口１８が接続される出水側系路はチャームノズル（第５図符号７参照）に至るものであり、出水口１９が接続される出水側系路はドレン経路である。
　　上記入水通路１２の途中部分のほぼ中央には、前記本体胴１１の軸方向（第１図上下方向）に延びるシリンダー状の中空穴部２１が形成されているとともに、この中空穴部２１の内部に、上記入水通路１２を開放・閉塞する主切換弁２２が装着されている。この主切換弁２２は、上記中空穴部２１の内径とほぼ同一の外径を有する円筒状に形成されており、上記中空穴部２１に対して同心状に回転自在に装着されている。そしてこの主切換弁２２には、直径方向に横断するように切換水路２３が設けられており、主切換弁２２の回動動作が行なわれることによって、上記切換水路２３は、第２図実線で示されている連通位置と、第２図一点鎖線で示されている遮断位置との間で切り換えられるようになっている。
　　また上記主切換弁２２の軸心部分は中空状に形成されているとともに、切換水路２３の中央部分には、流量絞り部２４が主切換弁２２と一体的に設けられている。
　　さらに前記本体胴１１の第１図上部部分には、上記主切換弁２２を切換回動させるための制御モータ２５が設置されている。この制御モータ２５の出力軸２５ａは主切換弁２２にねじ結合されているとともに、この結合部分における主切換弁２２の外側には、半円状の遮蔽カム板２６が取り付けられている。そしてこの遮蔽カム板２６の位置が、フォトインタラプタ２７の発光素子と受光素子とにより検出されることによって、上記主切換弁２２の切換位置が検知されるようになっている。
　　上記制御モータ２５の回転方向は一方向であり、上記遮蔽カム板２６およびフォトインタラプタ２７による検出位置と主切換弁２２の切換位置との関係は後述する。
　　前記出水側チャンバー１６は、底板を構成する前記仕切板１５と、本体胴１１の一部である上側天井板１１ａとの間に形成されており、特に第３図に示されているように、本体胴１１の軸心から半径方向放射状に延びる３つの仕切壁３１，３１，３１によって扇状の３つの第１，第２および第３の各出水側チャンバー１６ａ，１６ｂおよび１６ｃに区切られている。これら第１，第２および第３の各出水側チャンバー１６ａ，１６ｂおよび１６ｃの底板を構成する前記仕切板１５には、３つの連通孔１５ａ，１５ｂ，１５ｃが貫通形成されており、これら３つの連通孔１５ａ，１５ｂ，１５ｃを介して上記各出水側チャンバー１６ａ，１６ｂ，１６ｃが前記入水側チャンバー１４に接続されている。
　　さらに上記各連通孔１５ａ，１５ｂ，１５ｃに対応して、３体の第１，第２および第３の各分岐切換弁３２ａ，３２ｂ，３２ｃがそれぞれ設けられている。これらの各分岐切換弁３２ａ，３２ｂ，３２ｃは、上記各連通孔１５ａ，１５ｂ，１５ｃの軸心に沿って配置された弁軸３２１ａ，３２１ｂ，３２１ｃをそれぞれ備えている。これらの各弁軸３２１ａ，３２１ｂ，３２１ｃは、前記出水側チャンバー１６の上側天井板１１ａに設けられた上側軸受１１ｂと、入水側チャンバー１４の底板に設けられた下側軸受１４ａとの間に支承されており、軸方向に所定ストロークにわたって往復移動自在に保持されている。そしてこれらの各弁軸３２１ａ，３２１ｂ，３２１ｃの途中部分には、段部３２２ａ，３２２ｂ，３２２ｃを介してＯリング３２３ａ，３２３ｂ，３２３ｃが装着されている。これらの各０リング３２３ａ，３２３ｂ，３２３ｃは、前記各連通孔１５ａ，１５ｂ，１５ｃの下側開口部における周縁部分に対して密着・離脱可能に配置されている。そして上記弁軸３２１ａ，３２１ｂ，３２１ｃが軸方向に往復移動されることによって、前記０リング３２３ａ，３２３ｂ，３２３ｃは、連通孔１５ａ，１５ｂ，１５ｃを閉じたり開放したりする。
　　さらにまた上記各弁軸３２１ａ，３２１ｂ，３２１ｃには、前記下側軸受１４ａと各段部３２２ａ，３２２ｂ，３２２ｃとの間に圧縮コイルバネ３２３ａ，３２３ｂ，３２３ｃがそれぞれ装着されており、当該各圧縮コイルバネ３２３ａ，３２３ｂ，３２３ｃによって前記０リング３２３ａ，３２３ｂ，３２３ｃが連通孔１５ａ，１５ｂ，１５ｃを閉じる方向に付勢力が与えられるようになっている。
　　さらに上記弁軸３２１ａ，３２１ｂ，３２１ｃの第１図上端部分は、前記上側軸受１１ｂからさらに上方に向かって所定量突出されており、前述した主切換弁２２の底部に設けられているカム部４１に当接される配置関係になされている。」（明細書５頁１３行〜１１頁４行）
　「すなわち前述した主切換弁２２が回動されることによって、カム部４１が第４図（ａ），（ｂ），（ｃ）のように回動され、このとき当該カム部４１の各高段部４１ａ，４１ｂが各弁軸３２１ａ，３２１ｂ，３２１ｃに当接したり外れたりなされることによって、各分岐切換弁３２ａ，３２ｂ，３２ｃが所定の開閉関係に切り換えられるようになっている。」（明細書１３頁３〜１０行）
　「このような実施例における切換弁装置で、使用者が動作スイッチ操作を行ない、例えばシャワーモードが選択された場合には、メイン電磁弁がオンされて開かれるとともに、主切換弁２２が第２図の給水状態におかれる。これによりメイン電磁弁からの水道水が、本体胴１１の入水通路１２を通って温水タンクに流入し、かつ温水タンクから同量の温水が押し出され、本体胴１１の底部の入水口１３から入水側チャンバー１４内に温水給水が行なわれる。
　　このときカム部４１は第４図（ａ）の状態におかれており、第１分岐切換弁３２ａのみが開放状態におかれていて、他の第２分岐切換弁３２ｂおよび第３分岐切換弁３２ｃは閉塞状態におかれている（第１図示の状態）。したがって上記入水側チャンバー１４内の温水は、開放状態にある連通孔１５ａを通って第１出水側チャンバー１６ａ内に流入し、この第１出水側チャンバー１６ａと連通している第１出水口１７を通ってシャワーノズルに至る。水圧を負荷されたシャワーノズルは、所定量にわたって前進動作を行ない、決められた位置にて先端部から温水の噴出が行なわれる。
　　そして動作スイッチがオフされると、メイン電磁弁がオフされて入水側系路が閉じられるとともに、主切換弁２２が第２図一点鎖線で示された閉塞位置におかれ、これによりメイン給水が停止される。
　このとき力ム部４１は、第４図（ｂ）に示された位置におかれており、第１，第２および第３の全分岐切換弁３２ａ，３２ｂ，３２ｃがすべて開放状態におかれる。したがって前記第１出水側チャンバー１６ａから第１出水口１７およびシャワーノズルに至る出水側系路は、連通孔１５ａ、入水側チャンバー１４および連通孔１５ｃを介して第３出水側チャンバー１６ｃに連通される。これにより、ストップ時に上述した出水側系路等に残留している水が、第３出水側チャンバー１６ｃから第３出水ロ１９を通ってドレン側に排出されていくこととなる。そしてこの排水動作により、シャワーノズルは元の待機位置に後退される。
　　つぎにチャームモードが選択された場合にも、メイン電磁弁がオンされて開かれるとともに、主切換弁２２が第２図の給水状態におかれる。これによりメイン電磁弁からの水道水が、本体胴１１の入水通路１２を通って温水タンクに流入し、かつ温水タンクから同量の温水が押し出され、本体胴１１の底部の入水ロ１３から入水側チャンバー１４内に温水給水が行なわれる。
　　このときカム部４１は第４図（ｃ）の状態におかれており、第２分岐切換弁３２ｂのみが開放状態におかれ、第１分岐切換弁３２ａおよび第３分岐切換弁３２ｃは閉塞状態におかれている。したがって上記入水側チャンバー１４内の温水は、開放状態にある連通孔１５ｂを通って第２出水側チャンバー１６ｂ内に至り、第２出水ロ１８からチャームノズルに至る。水圧を負荷されたチャームノズルは、所定量の前進動作を行ない、決められた所定の位置にて先端部から温水の噴出が行なわれる。
　　そして動作スイッチがオフされると、メイン電磁弁がオフされて閉じられるとともに、主切換弁２２が第２図一点鎖線で示された閉塞位置におかれる。これによりメイン給水が停止される。
　　このときカム部４１は、第４図（ｂ）に示された位置におかれ、上述したように第１，第２および第３の全分岐切換弁が開放状態におかれて、前記第２出水側チャンバー１６ｂから第２出水ロ１８およびチャームノズルに至る出水側系路は、連通孔１５ａ、入水側チャンバー１４および連通孔１５ｃを介して第３出水側チャンバー１６ｃに連通される。これにより、ストップ時に上述した出水側系路等に残留している水が、第３出水側チャンバー１６ｃから第３出水口１９を通ってドレン側に排出されていくこととなる。そしてこの排水動作により、チャームノズルは元の待機位置に後退される。
　　このように本実施例装置では、種々の水路切換動作が、一つのモータによる弁切換運動のみによって確実に行なわれ、種々の水路切換動作がカム部４１を介して一体的に行なわれる。すなわち全体の水路切換動作が単一の切換に基づいて行なわれるようになっている。
　（考案の効果）
　　以上述べたように本考案は、各種切り換え装置を一体に備える弁切換構造を有しているため、簡易な制御動作でしかも確実に水路の切り換えを行なうことができる。」（明細書１６頁５行〜２０頁１１行）
　そして、引用刊行物１に添付の第１図ないし第４図には、明細書の考案の詳細な説明欄に記載の切換弁装置についての上記技術事項を裏付ける図が示されている。
　
　そうすると、引用刊行物１の上記摘記事項の記載及び添付図面における図示からみて、前記引用刊行物１には、次の発明（以下、これを、「
引用発明１
「入水側系路を構成する入水通路１２を、３つの出水側系路を構成するシャワーノズル６に至る出水□１７、チャームノズル７に至る出水□１８及びドレン８経路である出水□１９の各出水□に切り換え接続させて温水給水を行なう弁切換構造を一体に有する切換弁装置を備えたトイレ用のウオッシャー装置であつて、
　前記切換弁装置は、
　縦長状の本体胴１１と、
　前記本体胴１１の軸方向に形成されたシリンダー状の中空穴部２１の内部に制御モータ２５の駆動により回転自在に装着されて、前記入水通路１２を開放・閉塞する円筒状に形成された主切換弁２２と、
　該主切換弁２２に一体に備えられ、前記主切換弁２２の入水通路１２の開放・閉塞動作に基づいて、前記出水側系路を開放・閉塞するように各出水側系路ごとに設けられた３体の分岐切換弁３２ａ、３２ｂ及び３２ｃを駆動する各弁軸３２１ａ、３２１ｂ及び３２１ｃを軸方向に所定ストロークにわたって往復移動自在に従動させるカム部４１とを備え、
　前記主切換弁２２には直径方向に横断するように切換水路２３が設けられ、前記主切換弁２２の回動動作が行なわれることにより前記切換水路２３が前記入水通路１２との連通位置と遮断位置との間で切り換えられるようになっていて、
　前記本体胴１１は、そのほぼ中央部分に入水通路１２が横方向に向かって直線状に貫通形成され、前記入水通路１２の一端側開口部にメイン電磁弁１からの入水側系路が接続されているとともに、入水通路１２の他端側開ロ部は、温水タンク５に給水を行なう入水側系路に接続されており、さらに温水タンク５からの入水側系路は、前記本体胴１１の底部に設けられた入水口１３に接続されており、
　該入水ロ１３は、本体胴１１の下部に設けられた入水側チャンバー１４に開ロされているとともに、該入水側チャンバー１４の直上部に設けられた仕切板１５には、３つの連通孔１５ａ、１５ｂ及び１５ｃが貫通形成されており、前記連通孔１５ａ、１５ｂ及び１５ｃを介して、本体胴１１の軸心から半径方向放射状に延びる３つの仕切壁３１によって扇状に区切られた３つの出水側チャンバー１６ａ、１６ｂ及び１６ｃの出水側チャンバー１６が前記入水側チャンバー１４に接続され、さらに前記各連通孔１５ａ、１５ｂ及び１５ｃを閉じたり開放したりするように各分岐切換弁３２ａ、３２ｂ及び３２ｃがそれぞれ設けられており、
　そして前記各出水側チャンバー１６ａ、１６ｂ及び１６ｃは、シャワーノズル６に至る出水□１７、チャームノズル７に至る出水□１８及びドレン８経路である出水□１９を介して３系統の出水側系路にそれぞれ接続する構成となっており、
　動作スイッチがオフの状態では、メイン電磁弁１がオフされて入水側系路が閉じられるとともに、主切換弁２２が閉塞位置におかれてメイン給水が停止されており、動作スイッチ操作でシャワーモード及びチャームモードのうちのいずれかのモードが選択されると、いずれもメイン電磁弁１がオンされて入水側系路が開かれるとともに、制御モータ２５による主切換弁２２の回動動作により、前記主切換弁２２が給水状態におかれてメイン電磁弁からの水道水が本体胴１１の入水通路１２を通って温水タンク５に流入し、かつ温水タンク５から同量の温水が押し出され、本体胴１１の底部の入水口１３から入水側チャンバー１４内に温水給水が行なわれて、主切換弁２２と一体に回動するカム部４１により、分岐切換弁３２ａ及び３２ｂのなかで、モード選択された側の分岐切換弁を開放するとともにモード選択されない側の分岐切換弁を閉塞するように切り換えられて、温水が入水側チャンバー１４からモード選択された側の出水側チャンバー１６ａ又は１６ｂに流入して、シャワーモードの場合はシャワーノズル６の先端部から温水の噴出が行なわれ、チャームモードの場合はチャームノズル７の先端部から温水の噴出が行なわれることになり、
　動作スイッチがオフの状態では、メイン電磁弁１がオフされて入水側系路が閉じられるとともに、主切換弁２２が閉塞位置におかれてメイン給水が停止されており、このとき全分岐切換弁３２ａ、３２ｂ及び３２ｃがすべて開放状態におかれて、シャワーノズル６又はチャームノズル７に至る出水側系路が出水側チャンバー１６ｃに連通することによりストップ時の出水側系路等に残留している水が出水ロ１９を通ってドレン８側に排出されていくように構成された、本体胴１１に弁切換構造を一体に有する切換弁装置を備えたトイレ用のウオッシャー装置」
　
（２）原審における拒絶査定の理由に引用された刊行物であって、本願の特許出願前に頒布された特開平６−３３５０３号公報（以下、「
引用刊行物２
　「【０００３】【発明が解決しようとする課題】　しかし、止水弁３と流量調節弁４と切替弁６，７はそれぞれ独立しており、各弁を開閉させる駆動手段もそれぞれ必要であったため、装置自体が大型化せざるを得なかった。
　　【０００４】　そこで、本発明は流路の切替を行う１つの駆動手段で止水弁の開閉をも行うことのできる切替弁装置を提供することを第１の技術的課題とする。また、第２の技術的課題は、さらに流量の調節も行うことのできる切替弁装置を提供することとする。」
　「【０００６】【課題を解決するための手段】　上記第１の課題を解決するために本発明において講じた技術的解決手段は、通水路と、該通水路に配設される止水弁と、前記止水弁と連結され前記止水弁を開閉させる方向に移動可能な連結部材と、回転して前記連結部材を移動させるカム手段と、該カム手段を回動させる駆動手段と、該駆動手段の作動を制御する制御手段と、前記カム手段に連結され前記カム手段とともに回動するロータリーバルブ本体と、該ロータリーバルブ本体に形成され前記通水路と常に連通する流入口と前記ロータリーバルブ本体の周面に形成される複数の流出口を有する連通路と、前記ロータリーバルブ本体を収納するケーシングと、該ケーシングに前記流出口に対応して複数個形成される出水口を備え、前記ロータリーバルブ本体の回動により前記出水口の１つが前記流出口の１つと連通することを特徴とする切替弁装置である。」
　「【０００８】【作用】　上記第１の手段は次にように作用する。即ち、駆動手段がカム手段を回動させると、まずカム手段は連結手段を介して通水路に配設される止水弁を開弁させる。これによって通水路が開き、ロータリーバルブ本体の流入口へ通水路を通る流体が送られる。カム手段は回動して止水弁を開弁させる一方で、同軸のロータリーバルブ本体も回動させる。従って、ロータリーバルブ本体に形成された流出口とケーシングに形成される出水口との対向位置を変化させて、回転角度によって選択的に流出口と出水口を連通させ、流路を切換えることが可能となる。」
　「【００１０】【実施例】　本発明の一実施例を図１乃至図５に基づいて説明する。本実施例は、トイレに設置される温水洗浄装置内に配設される切替弁装置であり、肛門洗浄用ノズルとビデ洗浄用ノズルへ送る洗浄水の流量を調節するとともに、各ノズルへの送水を切換えることのできる切替弁装置を提供するものである。
　　【００１１】　図１は本実施例の切替弁装置Ａの断面図を示す。切替弁装置Ａは、主に、止水部２０と、駆動部３０と、流量調節機能付き流路切替部４０より構成されている。これらは、ケーシング５０とともに一体的に構成されている。ケーシング５０は略Ｌ字状であり、垂直方向に伸びる第１ケーシング部５１と、第１ケーシング部５１より水平に延在する第２ケーシング部５２より構成されるものである。
　　【００１２】　以下、順に止水部２０より説明する。切替弁装置Ａの第１ケーシング部５１には水道水圧源１４と連通する給水口２１が形成され、給水口２１は第１ケーシング部５１内に形成される通水路２２に連通している。通水路２２には止水弁２３が配設されている。止水弁２３は、通水路２２に形成された弁座２４に当接する弁体２５と、弁体２５を弁座２４側に付勢するコイルスプリング２６より構成されている。弁座２４は上流側に向かって細くなるよう形成され、中央には通水路２７と連通する連通口２８が形成されている。また弁体２５の下流側端部（下端部）２５ａも弁座２４と隙間なく当接するよう円錐形をなしている。弁体２５の上流側端部（上端部）２５ｂには、コイルスプリング２６の配設される円筒形の空間部２５ｃが形成されており、コイルスプリング２６の一端部は空間部２５ｃの底面２５ｄに、他端は通水路２２の内壁２２ａにそれぞれ係止されている。弁体２５の下流側端部２５ａには連結部材５３の一端部が固定されており、連結部材５３はコイルスプリング２６の付勢力によって弁体２５とともに下方に付勢されている。また、連結部材５３の他端部は通水路２７内を伸びて、後述するカム３１の周面に当接するようになっている。尚、第１ケーシング部５１には通水路２７と連通する排水口２９が形成されており、排水口２９は、温水タンク１６に接続された通水路１５に連通している。
　　【００１３】　次に、駆動部３０について説明する。第１ケーシング部５１の通水路２７にはカム３１が配設され、カム３１には軸３２が固定されている。カム３１は、図２−ａに示すように一部が凹んだ円形をなし、軸３２が中心部に嵌合されている。
　　【００１４】　軸３２の両端は第１ケーシング部５１に回動可能に配設されるとともに、軸３２と第１ケーシング部５１との間に配設されるシールリング３４、３５によって、通水路２７の水が流出しないようになっている。軸３２の一端にはモータ３３の回動軸（図示せず）が固定され、モータ３３が駆動するとカム３１が回転し、連結部材５３がカム３１の周面を摺動して上下動するようになっている。また、軸３２の他端は後述するロータリーバルブ本体４２の閉口端４２ａに固定されている。尚、モータ３３は制御装置６３に接続されており、制御装置６３からの指示によって回転数を制御されるようになっている。また、制御装置６３は、トイレ室内に配設される操作パネル（図示せず）からの指示によってモータ３３を作動させるようになっている。
　　【００１５】　続いて、流路切替部４０について説明する。流量調節機能付きの流路切替部４０は、第１ケーシング部５１より垂直に延在する第２ケーシング部５２とともに構成される。第２ケーシング部５２内には円柱型の収納室４１が形成され、ここにロータリーバルブ本体４２が回動可能に配設されている。また、第２ケーシング部５２の端部には入水口４３が形成されており、入水口４３は温水タンク１６と通水路１３で連通している。ロータリーバルブ本体４２には図１で左端部に開口する流入口４４ａを備えた連通路４４が形成されている。流入口４４ａは入水口４３とロータリーバルブ本体４２の回転角度に関わらず、常に連通している。
　　【００１６】　また、ロータリーバルブ本体４２の周面には連通路４４の第１流出口４５、第２流出口４６、第３流出口４７が形成されている。第１流出口４５乃至第３流出口４７は、図２−ｂに示すように、ロータリーバルブ本体４２の回転中心に対して周方向に略９０度ずつ離れて形成され、特に第１流出口４５と第３流出口４７は１８０度離れて対向するようになっている。また、図１から明らかなように、第１流出口４５乃至第３流出口４７は軸方向にも等距離ずつ離れて形成されている。第１流出口４５と第３流出口４７はロータリーバルブ本体４２の外周面側、即ち第２ケーシング５３と内接する部分では、第２流出口４６と反対の方向に先が細くなるように伸びている。
　　【００１７】　また、第２ケーシング部５２には第１出水口５５、第２出水口５６（図２−ｂ）、第３出水口５７が形成され、軸方向にも周方向にも等距離ずつ離れて形成されている。そして、第１出水口５５は肛門洗浄用ノズル５８に、第２出水口は大気連通路５９に、また第３出水口５７はビデ洗浄用ノズル６０にそれぞれ連通している。尚、ロータリーバルブ本体４２の周面にはシールリング６１が配設されており、入水口４３より連通ロータリーバルブ本体４２に送水された洗浄水が、第２ケーシング部５２とロータリーバルブ本体４２との隙間から漏れないようになっている。」
　「【００２３】　本実施例ではロータリーバルブを用いたために、１つの流路切替部４０で各ノズルへの通水の切り替えだけでなく、大気連通路との連通の切り替えも行うことができる。また、止水弁の開閉、肛門洗浄用ノズル５８あるいはビデ洗浄用ノズル６０への通水量の調節までも１つのモータ３３で行うことができるため、装置全体を小型化できるとともに、大幅なコストダウンが可能となる。」
　「【００２５】【発明の効果】　本発明によれば、止水弁の開閉と、各流路との連通の切り替えを１つの駆動手段により行うことができるため、これらの装置全体を小型化でき、コストダウンを図ることができる。また、ロータリーバルブ本体の回転によって流出口と出水口との連通面積が変化するようにした場合には、この駆動手段でさらに流量調節をも行うことができ、さらに小型化することが可能である。」
　
４．当審の判断
（１）対比及び一致点・相違点
　本願発明１と上記引用発明１とを対比すると、引用刊行物１にヒータがタンクに内蔵されていることについての明示の記載はないが、当該技術分野の技術常識からみて、引用発明１の「温水タンク５」が、本願発明１の「ヒータを内蔵したタンク」に対応する。
　そして、引用発明１の「温水タンク５に給水を行なう入水側系路」、「温水タンク５からの入水側系路」、「シャワーノズル６」、「チャームノズル７」、「本体胴１１に弁切換構造を一体に有する切換弁装置」、「制御モータ２５」、「回転自在に装着された円筒状の主切換弁２２」、「入水通路１２の一端側開口部及び他端側開ロ部」、「入水口１３」、「連通孔１５ａ及び出水側チャンバー１６ａ」、「連通孔１５ｂ及び出水側チャンバー１６ｂ」及び、「トイレ用のウオッシャー装置」のそれぞれが、本願発明１の「タンクへの給水路」、「タンクからの給湯路」、「おしり洗浄ノズル」、「ビデ洗浄ノズル」、「給水路と給湯路と各洗浄ノズルとの間をブロック化したコック本体」、「モータ」、「回転する弁体」、「給水路を形成する給水ゲート」、「給湯路を構成する給湯パイプ」、「おしり洗浄ノズルと連通する第１給湯ゲート」、「ビデ洗浄ノズルと連通する第２給湯ゲート」及び「温水洗浄便座」のそれぞれに対応する。
　そしてまた、引用発明１の「動作スイッチがオフの状態では、メイン電磁弁１がオフされて入水側系路が閉じられるとともに、主切換弁２２が閉塞位置におかれてメイン給水が停止されており、動作スイッチ操作でシャワーモード及びチャームモードのうちのいずれかのモードが選択されると、いずれもメイン電磁弁１がオンされて入水側系路が開かれるとともに、制御モータ２５による主切換弁２２の回動動作により、前記主切換弁２２が給水状態におかれてメイン電磁弁からの水道水が本体胴１１の入水通路１２を通って温水タンク５に流入し、かつ温水タンク５から同量の温水が押し出され、本体胴１１の底部の入水口１３から入水側チャンバー１４内に温水給水が行なわれて、主切換弁２２と一体に回動するカム部４１により、分岐切換弁３２ａ及び３２ｂのなかで、モード選択された側の分岐切換弁を開放するとともにモード選択されない側の分岐切換弁を閉塞するように切り換えられて、温水が入水側チャンバー１４からモード選択された側の出水側チャンバー１６ａ又は１６ｂに流入して、シャワーモードの場合はシャワーノズル６の先端部から温水の噴出が行なわれ、チャームモードの場合はチャームノズル７の先端部から温水の噴出が行なわれる」という作用的構成は、本願発明１の「前記弁体の回転により、給水ゲートの開閉と同時に選択されたどちらか一方の給湯ゲートとの連通遮断を行う」の作用的構成に対応するということができる。
　してみると、本願発明１と引用発明１とは、「ヒータを内蔵したタンクと、前記タンクへの給水と、前記タンクからの給湯路と、前記給湯路に連結したおしり洗浄ノズル及びビデ洗浄ノズルと、前記給水路と給湯路と前記各洗浄ノズルとの間をブロック化したコック本体とからなり、前記コック本体には、モータにより回転する弁体を収納すると共に、この弁体の周囲に、前記給水路を形成する給水ゲートを配設し、前記弁体の回転により、給水ゲートの開閉と同時に選択されたどちらか一方の給湯ゲートとの連通遮断を行う温水洗浄便座」である点で一致し、次の点で両者の構成が相違する。
　
相違点１
　
相違点２
　
（２）相違点についての検討
ア．相違点１について
　引用発明１における「主切換弁２２」の機能を精査すると、動作スイッチがオフの状態では、メイン電磁弁１がオフされて入水側系路が閉じられるとともに、制御モータ２５による主切換弁２２の回動動作により前記主切換弁２２が閉塞状態におかれることに起因して、入水通路１２の一端側開口部及び他端側開ロ部が閉鎖されること（元止式）により、メイン電磁弁からの水道水の流入は主切換弁２２で遮断されているので、水道水が本体胴１１の入水通路１２を通って温水タンク５に流入することはなく、したがって温水タンク５からの温水が押し出されることもないから、本体胴１１の底部の入水口１３からの入水側チャンバー１４内への温水給水は、主切換弁２２の回転により実質的に主切換弁２２で遮断されることになる。
　一方、動作スイッチ操作でシャワーモード及びチャームモードのうちのいずれかのモードが選択される場合には、いずれもメイン電磁弁１がオンされて入水側系路が開かれるとともに、制御モータ２５による主切換弁２２の回動動作により前記主切換弁２２が給水状態におかれることに起因して、入水通路１２の一端側開口部及び他端側開ロ部が開放されるので、水道水が本体胴１１の入水通路１２を通って温水タンク５に流入することにより、温水タンク５から同量の温水が押し出されて、本体胴１１の底部の入水口１３からの入水側チャンバー１４内への温水給水が、主切換弁２２の回転により連通されることになる。
　そうしてみると、引用発明１においても、本願発明１と同様に、弁体（主切換弁２２）の回転により給水ゲート（入水通路１２の一端側開口部及び他端側開ロ部）の開閉と同時に給湯パイプ（入水口１３）の連通遮断を行うようになっているといえる。
　したがって、上記相違点１は、本願発明１と引用発明１との間の形式上の相違であって、実質上の相違であるということはできない。
　
イ．相違点２について
　前記引用刊行物２には、その段落【００１５】及び【００１６】に、ロータリーバルブ本体４２（本願発明１の弁体に対応。以下同じ。）に、流入口４４ａを備えた連通路４４（給湯路を構成する給湯パイプ）と、第１流出口４５（おしり洗浄ノズルと連通する第１給湯ゲート）と、第３流出口４７（ビデ洗浄ノズルと連通する第２給湯ゲート）とを一緒に配設することが記載されており、引用刊行物２の前記記載のように、弁体に、給湯路を構成する給湯パイプと、おしり洗浄ノズルと連通する第１給湯ゲートと、ビデ洗浄ノズルと連通する第２給湯ゲートとを配設する技術は、本願特許出願時の公知技術である。
　そして、引用発明１に前記公知技術を採用するに際して、入水通路１２の一端側開口部及び他端側開ロ部（給水路を形成する給水ゲート）が配設されている引用発明１における主切換弁２２の周囲に、流入口４４ａを備えた連通路４４（給湯路を構成する給湯パイプ）と、第１流出口４５（おしり洗浄ノズルと連通する第１給湯ゲート）と、第３流出口４７（ビデ洗浄ノズルと連通する第２給湯ゲート）をも一緒に配設する構成の変更を、前記主切換弁２２に加えることにより、本願発明１の相違点２に係る「弁体の周囲に、給水路を形成する給水ゲートと、給湯路を構成する給湯パイプと、おしり洗浄ノズルと連通する第１給湯ゲートと、ビデ洗浄ノズルと連通する第２給湯ゲートとを配設」する構成を得ることは、当業者が格別の困難を要することなく容易になしうることである。
　
　そして、本願発明１の奏する作用効果は、引用発明１及び引用刊行物２に記載された公知技術から予測できる範囲内のものであって、格別顕著のものということができない。
　
（３）まとめ
　したがって、本願発明１は、引用発明１及び引用刊行物２に記載された公知技術に基いて当業者が容易に発明をすることができたものであるから、本願発明１は特許法第２９条第２項の規定により特許を受けることができない。
　
５．審判請求人の主張についての検討
（１）審判請求人の主張
　審判請求人は、審判請求書の請求の理由の欄において、
　「本願発明と各引用文献とは、単一のモータにて連動駆動される弁やバルブにて、温水タンクへの給水制御と洗浄ノズルへの給湯切換えとを行う基本構成が一致しているが、本願発明では、単一の弁体により温水タンクへの給水制御と各洗浄ノズルへの給湯切換えを行っているのに対し、各引用文献では、温水タンクへの給水制御と各洗浄ノズルへの給湯切換えを、各々別個の弁やバルブで行っている点で相違し、各引用文献に記載の構成から、本願発明の単一の弁体で温水タンクへの給水制御と各洗浄ノズルへの給湯切換えを行う構成が容易に発明し得るとは考えられないものである。　
　　即ち、本願発明では、モータにより回転駆動する弁体の周囲に温水タンクへの給水を制御するための給水ゲートや、各洗浄ノズルへの給湯切換えを行う給湯ゲートを配設しているが、各引用文献は、給水通路の開閉と給湯通路の開閉を別体の弁やバルブにより開閉制御する構成を基本とし、主切換弁２２やロータリーバルブ４２にて複数の給水通路と給湯通路を同時に開閉制御する発想はなく、これら引用文献と本願発明とは、基本構成が全く異なるものである。
　従いまして、本願発明は各引用文献に記載された発明考案から、当業者が容易に発明することができたものではない。」と主張する。
　
（２）当審の判断
ア．そこで、上記の主張について検討すると、本願の特許請求の範囲の請求項１には、上記「２．本願発明」欄に「本願発明１」として前示したとおりに記載されているのであり、その請求項１に「単一の弁体」なる文言が記載されていないことが明らかである。
　　そうすると、審判請求人が主張する「単一の弁体により温水タンクへの給水制御と各洗浄ノズルへの給湯切換えを行っている」なる技術的事項は、本願の特許請求の範囲の請求項１に記載に基づくものではなく、したがって、審判請求人が主張する前記技術的事項は、本願発明１の発明を特定する事項でないことが明らかである。
　
イ．そして、引用刊行物１には、主切換弁２２と各分岐切換弁３２ａ〜３２ｃとからなる弁体が制御モータ２５の回転により一体的に連動して動作することにより、複数の給水通路である左右の入水通路１２、１２並びに複数の給湯通路である出水口１７及び出水口１８を同時に開閉制御する発明が記載されており、また、引用刊行物２にも、止水弁２３とロータリーバルブ４２とからなる弁体がモータ３３の回転により一体的に連動して動作することにより、複数の給水通路である給水口２１及び排水口２９並びに複数の給湯通路である流入口４４ａを備えた連通路４４、流出口４５及び流出口４７を同時に開閉制御する公知技術が記載されている。
　
ウ．しかも、審判請求人の「各引用文献は、給水通路の開閉と給湯通路の開閉を別体の弁やバルブにより開閉制御する構成を基本とし、主切換弁２２やロータリーバルブ４２にて複数の給水通路と給湯通路を同時に開閉制御する発想がない」という主張は、引用刊行物１又は引用刊行物２にそれぞれ記載された発明ないし公知技術と本願発明１とを個々に対比して、本願発明１の新規性についてのみを主張しているのであり、引用刊行物１及び引用刊行物２にそれぞれ記載された発明及び公知技術を結合したものとを対比した上で本願発明１の進歩性を主張するものではない。
　
エ．さらに言えば、本願発明１の進歩性を検討する場合の、本願発明１の弁体に対応して比較対比されるべき弁体は、引用刊行物１に記載された引用発明１に引用刊行物２に記載された公知技術を適用した結果として把握されるところの、引用発明１の弁体と引用刊行物２に記載された公知技術における弁体とを合体したものとなる。
　　そうすると、引用発明１の複数の給水通路である左右の入水通路１２、１２を開閉制御する主切換弁２２と、引用刊行物２に記載された公知技術の複数の給湯通路である流入口４４ａを備えた連通路４４、流出口４５及び流出口４７を開閉制御するロータリーバルブ４２とを合体した結果としての弁体は、「単一の弁体」となるから、結局のところ、主切換弁２２とロータリーバルブ４２とを合体して得られる前記「単一の弁体」は、審判請求人が主張する「本願発明では、単一の弁体により温水タンクへの給水制御と各洗浄ノズルへの給湯切換えを行っている」と同じ作用効果を奏することになり、したがって、審判請求人の前記主張には、もとより理由がないことになる。
　
（３）まとめ
　以上のとおりであるから、審判請求人の主張には、理由がない。
　したがって、審判請求人の「従いまして、本願発明は各引用文献に記載された発明考案から、当業者が容易に発明することができたものではない。」という主張は、採用することができない。
　
６．むすび
　以上のとおり、本願発明１は特許法第２９条第２項の規定により特許を受けることができないから、他の請求項に係る発明について検討するまでもなく、本願は、拒絶すべきものである。
　よって、結論のとおり審決する。